(57)【要約】【課題】直管形ランプを容易且つ確実に装着できるランプソケット及び照明器具を提供すること。【解決手段】本発明のランプソケットは、ランプピンを端部に有する直管形ランプが脱出可能な脱出位置から、直管形ランプの中心軸を回転軸として直管形ランプを回転させることで、直管形ランプが装着される装着位置になるランプソケットであって、直管形ランプが回転可能な角度を３６０°未満の角度に制限する回転制限手段を備える。回転子５は、円筒状の円筒部５ａと、円筒部５ａの内周面から突出する凸部５ｄとを有する。ランプソケットは、円筒部５ａの内周面に接触する第一ガイド部４ａと、凸部５ｄに接触する第二ガイド部４ｂとを備える。回転制限手段は、第一ガイド部４ａと第二ガイド部４ｂとの境界部４ｃに凸部５ｄが接触することで回転子５の回転を停止させる。【選択図】図６
2015204130.tif 000002
【特許請求の範囲】
【請求項１】
ランプピンを端部に有する直管形ランプが脱出可能な脱出位置から、前記直管形ランプの中心軸を回転軸として前記直管形ランプを回転させることで、前記直管形ランプが装着される装着位置になるランプソケットであって、
前記直管形ランプが回転可能な角度を３６０°未満の角度に制限する回転制限手段を備えるランプソケット。
【請求項２】
前記直管形ランプと共に回転する回転子を備え、
前記回転制限手段は、前記回転子が回転可能な角度を３６０°未満の角度に制限する請求項１に記載のランプソケット。
【請求項３】
前記回転子は、円筒状の円筒部と、前記円筒部の内周面から突出する凸部とを有し、
前記円筒部の内周面に接触する第一ガイド部と、
前記凸部に接触する第二ガイド部と、
を備え、
前記回転制限手段は、前記第一ガイド部と前記第二ガイド部との境界部に前記凸部が接触することで前記回転子の回転を停止させる請求項２に記載のランプソケット。
【請求項４】
前記回転子は、円筒状の円筒部と、前記円筒部の外周面から突出する凸部とを有し、
前記円筒部に干渉せず、前記凸部に干渉する位置に設けられた回転防止部を備え、
前記回転制限手段は、前記回転防止部に前記凸部が接触することで前記回転子の回転を停止させる請求項２に記載のランプソケット。
【請求項５】
前記脱出位置に前記回転子があるときに前記凸部が挿入する第一凹部と、
前記装着位置に前記回転子があるときに前記凸部が挿入する第二凹部と、
の一方または両方を備える請求項３または請求項４に記載のランプソケット。
【請求項６】
前記脱出位置と前記装着位置との間で前記凸部に接触することで前記回転子の回転に必要なトルクを増加させるトルク増大部を備える請求項３または請求項４に記載のランプソケット。
【請求項７】
前記回転制限手段は、前記直管形ランプが前記装着位置を超えて回転することを抑制する請求項１から請求項６のいずれか一項に記載のランプソケット。
【請求項８】
前記回転制限手段は、前記直管形ランプが前記脱出位置から一の方向へ回転可能な角度と、前記直管形ランプが前記脱出位置から前記一の方向の反対の方向へ回転可能な角度とを等しくする請求項１から請求項７のいずれか一項に記載のランプソケット。
【請求項９】
請求項１から請求項８のいずれか一項に記載のランプソケットを備える照明器具。
【発明の詳細な説明】
【技術分野】
【０００１】
本発明は、ランプソケット及び照明器具に関する。
【背景技術】
【０００２】
直管形ランプを回転させて装着するように構成されたランプソケットの場合、作業者は、直管形ランプの装着時に、直管形ランプの回転位置を正常な装着位置に合わせる必要がある。正常な装着位置でないと、経時変化または振動などの外的要因で、直管形ランプの不点灯または脱落などに繋がるおそれがある。下記特許文献１のランプソケットでは、直管形ランプと共に回転する回転子に凸部を設け、正常な装着位置にて装着感を作業者へ伝えることで、正常な装着位置を作業者に知らせている。
【０００３】
下記特許文献２のランプソケットは、直管形ランプの２本のランプピンがそれぞれ挿入される第１のピン挿入孔及び第２のピン挿入孔を有する。そして、一方のランプピンを第１のピン挿入孔に挿入した後に、当該ランプピンの突出方向に略平行な軸を中心として直管形ランプを回転させることで、直管形ランプが装着される。第１のピン挿入孔は、一方のランプピンが装着位置まで一方向に直線的に押し込み自在となるように形成されている。第２のピン挿入孔は、装着位置に保持された一方のランプピンを中心とする円弧状に形成されている。
【先行技術文献】
【特許文献】
【０００４】
【特許文献１】特許第４５２７５２５号公報
【特許文献２】特開平１０−２０８８３２号公報
【発明の概要】
【発明が解決しようとする課題】
【０００５】
近年、直管形蛍光灯ランプの代替として、直管形ＬＥＤランプが販売されている。直管形ＬＥＤランプは、直管形蛍光灯ランプと異なり、外郭が樹脂、または樹脂及び放熱用金属で構成されている。そのため、装着時に直管形ＬＥＤランプを回転させると、外郭の樹脂部分がよじれ、回転させにくいという問題がある。特に、１１０Ｗ形のランプは約４ｍの長さがあるため、ランプの中央部を回転させても、端部の口金に力が伝わりにくい場合がある。また、直管形ＬＥＤランプの照射方向は、蛍光灯ランプのような全周方向とは異なり、ＬＥＤ素子が搭載されている側の約半周が照射方向となる。
【０００６】
また、直管形ＬＥＤランプには、ＪＩＳ Ｃ ８１５９−１の規格に基づくＧＸ１６ｔ−５口金を備えたものがある。このような直管形ＬＥＤランプは、一端側の口金には一対のＬ型のピンを備え、他端側の口金にはＴ型ピンを備える。このような直管形ＬＥＤランプを装着するためには、２種類のランプソケットが必要である。
【０００７】
特許文献１のランプソケットでは、直管形ランプが３６０°以上回転可能である。直管形ＬＥＤランプを装着した場合、外郭の樹脂部分がよじれることで、装着感を得にくい場合がある。そのため、作業者が正常な装着位置を超えてランプを回転させてしまうことがある。また、ＧＸ１６ｔ−５口金を備えた直管形ＬＥＤランプのように、２種類のランプソケットが必要な場合、ランプの樹脂部分がよじれること、及び２種類のランプソケットの装着感の相違などにより、一方のランプソケットの装着感を得たことで作業者が回転動作を止めてしまうことがある。そのような場合、ランプが正常な装着位置にならず、不点灯または脱落に繋がるおそれがある。また、ランプの装着感は、ＪＩＳなどの公的規格で定量化されていない。そのため、ランプソケットの製造メーカー、またはランプソケットの形状によって、作業者が感じるランプの装着感が異なる。その結果、ランプ装着感が分かりにくいと感じる場合がある。
【０００８】
特許文献２のランプソケットでは、ＧＸ１６ｔ−５口金を備えた直管形ＬＥＤランプのように、２種類のランプソケットが必要な場合、ランプをよじりながらランプソケットへ挿入する必要があり、ランプに曲げ応力が作用し、内部の基板または外郭の樹脂部分にストレスを与えるおそれがある。また、直管形ＬＥＤランプは半周のみ照射するため、照射方向を考慮してランプピンをランプソケットへ挿入しなければならず、手間を要す。誤った方向でランプピンをランプソケットへ挿入すると、装着位置で、照射方向が反対方向になってしまう。
【０００９】
本発明は、上述のような課題を解決するためになされたもので、直管形ランプを容易且つ確実に装着できるランプソケット及び照明器具を提供することを目的とする。
【課題を解決するための手段】
【００１０】
本発明に係るランプソケットは、ランプピンを端部に有する直管形ランプが脱出可能な脱出位置から、直管形ランプの中心軸を回転軸として直管形ランプを回転させることで、直管形ランプが装着される装着位置になるランプソケットであって、直管形ランプが回転可能な角度を３６０°未満の角度に制限する回転制限手段を備えるものである。
【発明の効果】
【００１１】
本発明によれば、直管形ランプを容易且つ確実に装着することが可能となる。
【図面の簡単な説明】
【００１２】
【図１】本発明の実施の形態１のランプソケットを備えた照明器具を示す斜視図である。
【図２】本発明の実施の形態１のランプソケットを斜め前から見た斜視図である。
【図３】本発明の実施の形態１のランプソケットを斜め後ろから見た斜視図である。
【図４】本発明の実施の形態１のランプソケットの分解斜視図である。
【図５】本発明の実施の形態１のランプソケットの脱出位置におけるソケットカバーの一部及び回転子を示す前面図である。
【図６】本発明の実施の形態１のランプソケットの装着位置におけるソケットカバーの一部及び回転子を示す前面図である。
【図７】図６で回転子を円筒部の途中で切断した状態を示す前面図である。
【図８】本発明の実施の形態２のランプソケットの脱出位置におけるソケットカバーの一部及び回転子を示す前面図である。
【図９】本発明の実施の形態２のランプソケットの装着位置におけるソケットカバーの一部及び回転子を示す前面図である。
【図１０】図９で回転子を円筒部の途中で切断した状態を示す前面図である。
【図１１】本発明の実施の形態３のランプソケットが備える回転子を示す斜視図である。
【図１２】本発明の実施の形態３のランプソケットが備えるソケットカバーを示す斜視図である。
【図１３】本発明の実施の形態４のランプソケットが備えるソケットカバーの一部及び回転子を示す前面図である。
【発明を実施するための形態】
【００１３】
以下、図面を参照して本発明の実施の形態について説明する。なお、各図において共通する要素には、同一の符号を付して、重複する説明を省略する。
【００１４】
実施の形態１．
図１は、本発明の実施の形態１のランプソケットを備えた照明器具を示す斜視図である。図１に示すように、本実施の形態１の照明器具１は、器具本体１０と、器具本体１０の両端部に設置された一対のランプソケット２と、反射板１１とを備える。一対のランプソケット２には、直管形ランプ１２が装着される。直管形ランプ１２は、ランプソケット２に対し、着脱可能である。器具本体１０と反射板１１とで形成される筐体の内部には、直管形ランプ１２を点灯させる点灯装置（点灯回路）が設けられているが、図示を省略する。
【００１５】
なお、本発明の照明器具では、例えばＧＸ１６ｔ−５口金を備えた直管形ＬＥＤランプのように、２種類のランプソケットが必要な場合、少なくとも一方が本発明のランプソケットであれば良く、他方のランプソケットは本発明のランプソケット以外のものでも良い。
【００１６】
以下、本実施の形態１のランプソケット２について詳細に説明する。以下の説明では、ランプソケット２の、器具本体１０に固定される側を基端側とし、その反対側を先端側とする。また、ランプソケット２の、直管形ランプ１２と対向する側を前面とし、その反対側を後面とする。
【００１７】
図２は、ランプソケット２を斜め前から見た斜視図である。図３は、ランプソケット２を斜め後ろから見た斜視図である。図４は、ランプソケット２の分解斜視図である。これらの図に示すように、本実施の形態１のランプソケット２は、前面側に位置するソケット本体３と、後面側に位置するソケットカバー４と、回転子５と、一対の通電金具６とを有する。ソケット本体３は、後面側に開口を有する。ソケットカバー４は、ソケット本体３の後面側の開口を塞ぐように配置される。ソケット本体３及びソケットカバー４により、ランプソケット２の本体部分となる筐体が形成される。回転子５及び通電金具６は、ソケット本体３及びソケットカバー４で形成される筐体の内部に収納される。
【００１８】
ソケット本体３は、前面側に円形開口部３ａを有する。円形開口部３ａは、直管形ランプ１２の中心軸と同心的に位置する。ソケット本体３は、前面側から見て、円形開口部３ａの内側と、ソケット本体３の外部とを連通する切欠き状のピン挿入部３ｂを有する。直管形ランプ１２の端部に設けられたランプピン（図示省略）は、ピン挿入部３ｂを通過可能である。ピン挿入部３ｂは、ソケット本体３の先端部に位置する。ソケット本体３の基端部には、電線（図示省略）を差し込むための電線挿入孔３ｃが形成されている。
【００１９】
回転子５は、ソケット本体３及びソケットカバー４に対し回転可能に設置される。回転子５の回転中心は、円形開口部３ａの中心と一直線上に位置する。回転子５は、直管形ランプ１２と共に回転する。
【００２０】
図４に示すように、回転子５は、略円筒形状の円筒部５ａと、略円板形状の受け部５ｂとを有する。受け部５ｂは、円筒部５ａの前端側に設けられている。受け部５ｂの外径は、円筒部５ａの外径より大きい。受け部５ｂは、円筒部５ａからフランジ状に外周側に突出する。受け部５ｂの一部は、円形開口部３ａの内側に収納される。受け部５ｂは、直管形ランプ１２の端面に接する。回転子５には、直管形ランプ１２のランプピンが挿入可能なピン挿入溝５ｃが形成されている。ピン挿入溝５ｃは、回転子５の回転中心を通って回転子５を二分するように形成されている。ピン挿入溝５ｃは、円筒部５ａの後端部を残して、円筒部５ａ及び受け部５ｂを切り欠くように形成されている。
【００２１】
図２は、直管形ランプ１２がランプソケット２から脱出可能な脱出位置の状態である。脱出位置では、回転子５のピン挿入溝５ｃと、ソケット本体３のピン挿入部３ｂとが一直線上に位置する。脱出位置では、回転子５のピン挿入溝５ｃに挿入された直管形ランプ１２のランプピンがピン挿入部３ｂを通ってソケット本体３の外へ脱出できる。また、脱出位置では、直管形ランプ１２のランプピンを、ソケット本体３の外から、ピン挿入部３ｂを通して、回転子５のピン挿入溝５ｃに挿入できる。
【００２２】
図４に示すように、通電金具６は、速結端子６ａと、直管形ランプ１２のランプピンを受けるピン受け部６ｂとを有する。照明器具１が備える点灯装置から配線された電線（図示省略）は、ソケット本体３の電線挿入孔３ｃを通り、速結端子６ａに接続される。直管形ランプ１２の非装着状態においては、回転子５の円筒部５ａの外周面が通電金具６のピン受け部６ｂに接触する。直管形ランプ１２の装着状態においては、直管形ランプ１２のランプピンがピン受け部６ｂに接触することで、照明器具１が備える点灯装置から上記電線及び通電金具６を介して、直管形ランプ１２のランプピンに給電可能になる。本実施の形態１のランプソケット２では、回転子５を設けたことで、人の手が通電金具６に触れることが困難となるので、高い安全性が得られる。
【００２３】
ソケットカバー４は、回転子５の回転を案内する第一ガイド部４ａ及び第二ガイド部４ｂを有する。第一ガイド部４ａ及び第二ガイド部４ｂは、ソケットカバー４の内壁から突出している。回転子５の円筒部５ａの内側に第一ガイド部４ａ及び第二ガイド部４ｂが挿入する。
【００２４】
図５は、直管形ランプ１２が脱出可能な脱出位置におけるソケットカバー４の一部及び回転子５を示す前面図である。図６は、直管形ランプ１２が装着される装着位置におけるソケットカバー４の一部及び回転子５を示す前面図である。図７は、図６で回転子５を円筒部５ａの途中で切断した状態を示す前面図である。図５から図７では、ソケット本体３及び通電金具６の図示を省略する。
【００２５】
図５の脱出位置から、直管形ランプ１２及び回転子５が時計回りに約９０°回転することで、図６及び図７の装着位置になる。図示を省略するが、図５の脱出位置から、直管形ランプ１２及び回転子５を反時計回りに約９０°回転した場合にも、装着位置になる。装着位置では、前述したように、直管形ランプ１２のランプピンがピン受け部６ｂに接触することで、照明器具１が備える点灯装置から上記電線及び通電金具６を介して、直管形ランプ１２のランプピンに給電可能になる。また、装着位置では、直管形ランプ１２がランプソケット２から脱出できない状態になり、直管形ランプ１２の脱落が確実に防止される。
【００２６】
回転子５は、円筒部５ａの内周面から突出する凸部５ｄを有する。第一ガイド部４ａは、回転子５の円筒部５ａの内周面に接触する。第一ガイド部４ａは、円筒部５ａの内径にほぼ等しい半径の円弧状をなす。第二ガイド部４ｂは、回転子５の凸部５ｄに接触する。第二ガイド部４ｂは、第一ガイド部４ａより半径の小さい円弧状をなす。図７に示すように、第一ガイド部４ａの円弧は、半周（１８０°）よりやや小さい。第二ガイド部４ｂの円弧は、半周（１８０°）よりやや大きい。第一ガイド部４ａと第二ガイド部４ｂとの境界部４ｃには、段差が形成される。図５の脱出位置では、回転子５の凸部５ｄが第二ガイド部４ｂの円弧のほぼ中央に位置する。直管形ランプ１２及び回転子５が回転するとき、円筒部５ａの内周面が第一ガイド部４ａに対し摺動し、凸部５ｄが第二ガイド部４ｂに対し摺動することで、直管形ランプ１２及び回転子５の回転が円滑に案内される。
【００２７】
ランプソケット２は、直管形ランプ１２が回転可能な角度を３６０°未満の角度に制限する回転制限手段を有する。本実施の形態１では、この回転制限手段は、図６及び図７に示すように、回転子５の凸部５ｄが第一ガイド部４ａと第二ガイド部４ｂとの境界部４ｃに接触することで、直管形ランプ１２及び回転子５の回転を停止させる。凸部５ｄは、境界部４ｃを超えて回転することができない。
【００２８】
図５の脱出位置から、直管形ランプ１２及び回転子５が時計回りに約９０°回転すると、図６及び図７のように、凸部５ｄが境界部４ｃに接触することで、直管形ランプ１２及び回転子５の回転が停止される。すなわち、本実施の形態１の回転制限手段は、直管形ランプ１２及び回転子５が図６及び図７の装着位置を超えて回転することを抑制する。図示を省略するが、図５の脱出位置から、直管形ランプ１２及び回転子５が反時計回りに約９０°回転した場合にも、凸部５ｄが反対側の境界部４ｃに接触することで、直管形ランプ１２及び回転子５の回転が停止される。この場合にも、直管形ランプ１２及び回転子５が装着位置を超えて回転することが抑制される。直管形ランプ１２及び回転子５は、上述した一方の装着位置から、他方の装着位置までの、約１８０°の範囲で回転可能である。すなわち、本実施の形態１の回転制限手段は、直管形ランプ１２及び回転子５が回転可能な角度を約１８０°に制限する。
【００２９】
ランプソケット２によれば、回転制限手段を設けたことで、作業者が直管形ランプ１２を脱出位置から装着位置へ回転させる際に、直管形ランプ１２を回転させ過ぎてしまうことを確実に抑制できる。このため、直管形ランプ１２を容易且つ確実に装着できる。特に、直管形ＬＥＤランプのように、樹脂で形成された外郭を有し、ねじれ変形しやすく、直管形ランプ１２の回転位置が分かりにくい場合であっても、直管形ランプ１２を回転させ過ぎてしまうことを確実に抑制できる。
【００３０】
また、直管形ランプ１２の中心軸を回転軸として直管形ランプ１２を回転させることで脱出位置から装着位置になるので、直管形ランプ１２に曲げ応力が作用することを回避できる。このため、ＧＸ１６ｔ−５口金を備えた直管形ＬＥＤランプのように、２種類のランプソケットが必要な場合であっても、直管形ＬＥＤランプの内部の基板あるいは外郭の樹脂部分にストレスを与えることを確実に抑制できる。
【００３１】
本実施の形態１では、直管形ランプ１２及び回転子５が装着位置を超えて回転することが回転制限手段により抑制されることで、作業者は、直管形ランプ１２を回転しないところまで回転させれば、正常な装着位置と容易に判断できる。このため、直管形ランプ１２をさらに容易且つ確実に装着できる。
【００３２】
本実施の形態１では、回転制限手段は、回転子５の凸部５ｄが第一ガイド部４ａと第二ガイド部４ｂとの境界部４ｃに接触することで、直管形ランプ１２及び回転子５の回転を停止させる。このように、回転子５の回転を案内する第一ガイド部４ａ及び第二ガイド部４ｂを利用して回転制限手段を構成できるので、簡単な構造で回転制限手段を設けることができる。
【００３３】
本実施の形態１では、図５の脱出位置から直管形ランプ１２及び回転子５を一の方向（時計回り）へ回転させた位置と、図５の脱出位置から直管形ランプ１２及び回転子５をその反対方向（反時計回り）へ回転させた位置との双方に装着位置がある。すなわち、直管形ランプ１２のランプピンをランプソケット２へ挿入した後、直管形ランプ１２をいずれの方向へ回転させても、直管形ランプ１２を装着位置にできる。これにより、直管形ＬＥＤランプのように、半周のみ照射する直管形ランプ１２を装着する場合であっても、照射方向を考慮せずに直管形ランプ１２のランプピンをランプソケット２へ挿入できる。
【００３４】
また、本実施の形態１では、回転制限手段は、図５の脱出位置から直管形ランプ１２及び回転子５を一の方向（時計回り）へ回転可能な角度と、図５の脱出位置から直管形ランプ１２及び回転子５をその反対方向（反時計回り）へ回転可能な角度とを、等しい角度（約９０°）に制限する。このため、直管形ランプ１２のランプピンをランプソケット２へ挿入した後、直管形ランプ１２をいずれの方向へ回転させる場合であっても、直管形ランプ１２を回転させ過ぎてしまうことを確実に抑制できる。
【００３５】
図５の脱出位置では、回転子５の凸部５ｄは、先端側（ピン挿入部３ｂ側）に配置される。組立時、第一ガイド部４ａと凸部５ｄとが干渉するため、回転子５の凸部５ｄを基端側（ピン挿入部３ｂの反対側）に配置することはできない。このため、誤組立を確実に防止できる。直管形ランプ１２の回転方向を分かりやすくするため、ピン挿入部３ｂの周辺に矢印を付しても良い。
【００３６】
実施の形態２．
次に、図８から図１０を参照して、本発明の実施の形態２について説明するが、上述した実施の形態１との相違点を中心に説明し、同一部分または相当部分は同一符号を付し説明を省略する。
【００３７】
図８は、本実施の形態２のランプソケット２の脱出位置におけるソケットカバー４の一部及び回転子５を示す前面図である。図９は、本実施の形態２のランプソケット２の装着位置におけるソケットカバー４の一部及び回転子５を示す前面図である。図１０は、図９で回転子５を円筒部５ａの途中で切断した状態を示す前面図である。図８から図１０では、ソケット本体３及び通電金具６の図示を省略する。
【００３８】
本実施の形態２のランプソケット２は、回転制限手段の構造が異なること以外は実施の形態１と同様である。回転子５は、実施の形態１の凸部５ｄに代えて、凸部５ｅを有する。凸部５ｅは、円筒部５ａの外周面から突出する。ソケットカバー４は、実施の形態１の第一ガイド部４ａ及び第二ガイド部４ｂに代えて、ガイド部４ｄを有する。ガイド部４ｄは、円筒部５ａの内径よりやや小さい外径の外周面を有する。回転子５の円筒部５ａの内側にガイド部４ｄが挿入する。
【００３９】
図９及び図１０に示すように、ソケットカバー４は、回転防止部４ｅを有する。回転防止部４ｅは、回転子５の円筒部５ａには干渉せず、凸部５ｅに干渉する位置に設けられている。凸部５ｅは、回転防止部４ｅを超えて回転することができない。本実施の形態２の回転制限手段は、回転子５の凸部５ｅが回転防止部４ｅに接触することで、直管形ランプ１２及び回転子５の回転を停止させる。
【００４０】
図８の脱出位置では、回転子５の凸部５ｅは、先端側（ピン挿入部３ｂ側）に配置される。図８及び図１０に示すように、ソケットカバー４は、誤組立防止突起４ｆを有する。誤組立防止突起４ｆは、図８の脱出位置における凸部５ｅに対し、ガイド部４ｄ（回転子５の回転中心）を介して反対側に位置する。誤組立防止突起４ｆは、回転子５の円筒部５ａには干渉せず、凸部５ｅに干渉する位置に設けられている。組立時、誤組立防止突起４ｆと凸部５ｅとが干渉するため、回転子５の凸部５ｅを基端側（ピン挿入部３ｂの反対側）に配置することはできない。このため、誤組立を確実に防止できる。
以上説明した本実施の形態２によれば、実施の形態１と同様の効果が得られる。
【００４１】
実施の形態３．
次に、図１１及び図１２を参照して、本発明の実施の形態３について説明するが、上述した実施の形態１との相違点を中心に説明し、同一部分または相当部分は同一符号を付し説明を省略する。図１１は、本実施の形態３のランプソケット２が備える回転子５を示す斜視図である。図１２は、本実施の形態３のランプソケット２が備えるソケットカバー４を示す斜視図である。
【００４２】
図１１に示すように、回転子５の円筒部５ａの内周面から突出する凸部５ｄは、円筒部５ａの後端面５ｆを含む平面に対し半球状に突出する半球凸部５ｇを有する。図１２に示すように、ソケットカバー４は、凸部５ｄの半球凸部５ｇが挿入可能な第一凹部４ｇ及び第二凹部４ｈを有する。第一凹部４ｇ及び第二凹部４ｈは、回転子５の円筒部５ａの後端面５ｆが接触するソケットカバー４の内壁面４ｊに対し、半球状にくぼむ凹部として形成されている。回転子５が脱出位置にあるとき、凸部５ｄの半球凸部５ｇが第一凹部４ｇに挿入する。回転子５が装着位置にあるとき、凸部５ｄの半球凸部５ｇが第二凹部４ｈに挿入する。第二凹部４ｈは、ランプソケット２が有する二つの装着位置に応じて、二箇所に設けられている。
【００４３】
直管形ランプ１２を装着する際に、作業者が直管形ランプ１２を脱出位置から装着位置へ向けて回転させると、凸部５ｄの半球凸部５ｇが第一凹部４ｇから出てソケットカバー４の内壁面４ｊ（トルク増大部）に押圧されることで、回転子５の回転に必要なトルクが増加する。その結果、直管形ランプ１２の回転に必要なトルクが増加し、その感触が作業者に伝わる。そのまま直管形ランプ１２を回転させて装着位置に到達すると、凸部５ｄの半球凸部５ｇが第二凹部４ｈに挿入することで、回転子５の回転に必要なトルクが減少する。その結果、直管形ランプ１２の回転に必要なトルクが減少し、その感触が作業者に伝わる。このようにして、直管形ランプ１２が装着位置に到達したときに作業者がクリック感（装着感）を得ることができるので、装着位置に到達したことを容易に知ることができる。このため、直管形ランプ１２をさらに容易且つ確実に装着できる。
【００４４】
また、直管形ランプ１２を取り外す際にも、直管形ランプ１２が脱出位置に到達したときに作業者がクリック感を得ることができるので、脱出位置に到達したことを容易に知ることができる。このため、直管形ランプ１２を容易且つ円滑に取り外すことができる。
【００４５】
本実施の形態３では、回転制限手段を構成する凸部５ｄに設けた半球凸部５ｇを利用して上記の効果を得ることができるので、ランプソケット２の構造が簡単になり、製造が容易になり、且つ、故障しにくくなる。なお、ソケットカバー４の内壁面４ｊと凸部５ｄの半球凸部５ｇとの摩擦力が強すぎる場合には、凸部５ｄの半球凸部５ｇにスリットを入れるなどすることにより、押圧変形させやすくすることで対応できる。また、第一凹部４ｇ及び第二凹部４ｈのいずれか一方のみを設けるようにしても良い。また、本実施の形態３では、回転子５の円筒部５ａの内周面から突出する凸部５ｄを用いてクリック感を得る構成について説明したが、実施の形態２のような回転子５の円筒部５ａの外周面から突出する凸部５ｅが挿入する第一凹部または第二凹部を設けることでクリック感を得るように構成しても良い。
【００４６】
実施の形態４．
次に、図１３を参照して、本発明の実施の形態４について説明するが、上述した実施の形態１との相違点を中心に説明し、同一部分または相当部分は同一符号を付し説明を省略する。図１３は、本実施の形態４のランプソケット２が備えるソケットカバー４の一部及び回転子５を示す前面図である。図１３は、脱出位置と装着位置との間の状態を示している。
【００４７】
図１３に示すように、ソケットカバー４は、第二ガイド部４ｂの周面から突出する凸部４ｋ（トルク増大部）を有する。回転子５の円筒部５ａの内周面から突出する凸部５ｄは、脱出位置と装着位置との間で、第二ガイド部４ｂの凸部４ｋに接触する。凸部５ｄは、凸部４ｋを乗り越えて回転できるが、凸部４ｋに押圧されることで、回転子５の回転に必要なトルクが増加する。
【００４８】
直管形ランプ１２を装着する際に、作業者が直管形ランプ１２を脱出位置から装着位置へ向けて回転させると、その途中で凸部５ｄが凸部４ｋに押圧されることで、回転子５の回転に必要なトルクが増加する。その結果、直管形ランプ１２の回転に必要なトルクが増加し、その感触が作業者に伝わる。そのまま直管形ランプ１２を回転させると、凸部５ｄが凸部４ｋを乗り越えることで、回転子５の回転に必要なトルクが減少する。その結果、直管形ランプ１２の回転に必要なトルクが減少し、その感触が作業者に伝わる。このようにして、直管形ランプ１２が装着位置に到達したときに作業者がクリック感（装着感）を得ることができるので、装着位置に到達したことを容易に知ることができる。このため、直管形ランプ１２をさらに容易且つ確実に装着できる。
【００４９】
また、直管形ランプ１２を取り外す際にも、凸部５ｄが凸部４ｋを乗り越えるときに作業者がクリック感を得ることができるので、脱出位置に到達したことを容易に知ることができる。このため、直管形ランプ１２を容易且つ円滑に取り外すことができる。本実施の形態４では、回転制限手段を構成する凸部５ｄを利用して上記の効果を得ることができるので、ランプソケット２の構造が簡単になり、製造が容易になり、且つ、故障しにくくなる。また、本実施の形態４では、回転子５の円筒部５ａの内周面から突出する凸部５ｄを用いてクリック感を得る構成について説明したが、実施の形態２のような回転子５の円筒部５ａの外周面から突出する凸部５ｅに接触するトルク増大部を設けることでクリック感を得るように構成しても良い。
【００５０】
以上、本発明の実施の形態について説明したが、本発明では、上述した複数の実施の形態の特徴を任意に組み合わせて実施しても良い。また、上述した実施の形態では、直管形ランプと共に回転する回転子が回転可能な角度を３６０°未満の角度に制限する回転制限手段を備える場合について説明したが、本発明では、回転子を備えず、回転制限手段が、直管形ランプのランプピン自体に係合することで、直管形ランプが回転可能な角度を３６０°未満の角度に制限するように構成しても良い。
【符号の説明】
【００５１】
１  照明器具、２  ランプソケット、３  ソケット本体、３ａ  円形開口部、３ｂ  ピン挿入部、３ｃ  電線挿入孔、４  ソケットカバー、４ａ  第一ガイド部、４ｂ  第二ガイド部、４ｃ  境界部、４ｄ  ガイド部、４ｅ  回転防止部、４ｆ  誤組立防止突起、４ｇ  第一凹部、４ｈ  第二凹部、４ｊ  内壁面、４ｋ  凸部、５  回転子、５ａ  円筒部、５ｂ  受け部、５ｃ  ピン挿入溝、５ｄ，５ｅ  凸部、５ｆ  後端面、５ｇ  半球凸部、６  通電金具、６ａ  速結端子、６ｂ  ピン受け部、１０  器具本体、１１  反射板、１２  直管形ランプ
【図１】
2015204130.tif 000003
【図２】
2015204130.tif 000004
【図３】
2015204130.tif 000005
【図４】
2015204130.tif 000006
【図５】
2015204130.tif 000007
【図６】
2015204130.tif 000008
【図７】
2015204130.tif 000009
【図８】
2015204130.tif 000010
【図９】
2015204130.tif 000011
【図１０】
2015204130.tif 000012
【図１１】
2015204130.tif 000013
【図１２】
2015204130.tif 000014
【図１３】
2015204130.tif 000015